(57)【特許請求の範囲】
【請求項１】
ガスが封入されたストロボ放電管と、このストロボ放電管に放電を開始させるための高電圧電流を発生するトリガーコイル、及び前記ストロボ放電管に接触し前記トリガーコイルから出力された高電圧電流をこのストロボ放電管に伝えるトリガー接片とを有し、レンズ付きフイルムユニットに取り付けられるレンズ付きフイルムユニット用ストロボ装置において、
前記トリガー接片は、弾性を有し、一端は、前記トリガーコイルの２次側出力端子の貫入方向に屈折させて形成した折り曲げ板の弾性により前記出力端子に圧接し、他端は、前記ストロボ放電管に当接し、前記ストロボ放電管から受ける抗力の方向が前記貫入方向とほぼ同一方向であることを特徴とするレンズ付きフイルムユニット用ストロボ装置。
【発明の詳細な説明】
【０００１】
【発明の属する技術分野】
本発明はレンズ付きフイルムユニット用ストロボ装置に関するものである。
【０００２】
【従来の技術】
レンズ付きフイルムユニットは、簡単な撮影機構を備えたユニット本体に予め未露光のパトローネ付きロ−ルフイルムを内蔵させたもので、カメラを携帯していなくても手軽に写真撮影を行うことができ、廉価であることや使用が簡便であること等の理由から広く利用されており、室内や夜間でも簡単に撮影が出来るように、ストロボ装置を内蔵したものも販売されている。
【０００３】
前述したようなレンズ付きフイルムユニット用ストロボ装置は、周知のように、昇圧した電流でメインコンデンサに充電し、シャッタ装置に連動してトリガーコイルで高電圧電流を発生させ、この高電圧電流をトリガー接片でストロボ放電管に導いて放電管内をイオン化させることにより、メインコンデンサが放電してストロボ放電管からストロボ光が照射される。
【０００４】
上述したストロボ装置の内、トリガーコイルの２次側出力端子から高電圧電流をストロボ放電管に導くトリガー接片は、従来、一端がトリガーコイルの２次側出力端子に半田付けされ、他端がリフレクタに接続された金属板、或いはリード線が用いられていた。
【０００５】
【発明が解決しようとする課題】
しかしながら、上述したように、金属板、或いはリード線とトリガーコイルの２次側出力端子との半田付けは、手間が掛かり、且つ組み立て時間が長くなるため、コストダウンや生産性向上の面で障害になっている。半田付け工程は、生産管理上、定期的にメンテナンスが必要であり、電力消費や半田の消費も多いなど問題がある。
【０００６】
本発明は上記従来技術の問題点を考慮してなされたもので、レンズ付きフイルムユニット用ストロボ装置のトリガー接片取り付け工程を簡略化し、組み立て時間を削減することにより、製造コストの低減と、併せてトリガー接片取り付け工程に要する設備面積を削減して、製造施設の有効利用を図ることを目的とする。
【０００７】
【課題を解決するための手段】
上記目的を達成するために、本発明では、ガスが封入されたストロボ放電管と、このストロボ放電管に放電を開始させるための高電圧電流を発生するトリガーコイル、及び前記ストロボ放電管に接触し前記トリガーコイルから出力された高電圧電流をこのストロボ放電管に伝えるトリガー接片とを有し、レンズ付きフイルムユニットに取り付けられるレンズ付きフイルムユニット用ストロボ装置において、前記トリガー接片は、弾性を有し、一端は、前記トリガーコイルの２次側出力端子の貫入方向に屈折させて形成した折り曲げ板の弾性により前記出力端子に圧接し、他端は、前記ストロボ放電管に当接し、前記ストロボ放電管から受ける抗力の方向が前記貫入方向とほぼ同一方向である。
【０００８】
【発明の実施の形態】
以下本発明の実施例を図面を参照して説明する。図２は、本発明を実施したレンズ付きフイルムユニットを示す外観斜視図であり、図３は、その分解斜視図である。レンズ付きフイルムユニット２は、写真フイルムカートリッジや各種撮影機構を内蔵したユニット本体３と、これを包む外装体４とから構成されている。外装体４は、ユニット本体３の巻き上げノブ５，シャッタボタン６，ストロボ発光部７等を露呈させるような輪郭となっている。また、撮影レンズ８，ファインダ９及び撮影枚数表示窓１０等を露出させるための穴が設けられており、外装体４でユニット本体３を包んだ状態で撮影操作を行うことができる。
【０００９】
図３に示すように、ユニット本体３は、本体基部１２，後カバー１３，撮影機構１４、ストロボ装置１５、及び前カバー１６とから構成されている。本体基部１２の前面には、撮影レンズ８，シャッタ機構とシャッタチャージ機構巻き止め機構等がメカベース１７に組み付けられてユニット化された撮影機構１４が取り付けられる。後カバー１３は、本体基部１２の背後に組み付けられて本体基部１２との間で写真フイルムカートリッジ１８を光密に収納する。
【００１０】
前カバー１６は、本体基部１２の前面に取り付けられる。この前カバー１６の上面には、その一部を切り欠いて弾性自在に形成したシャッタボタン６が設けられている。このシャッタボタン６の下部には、押圧ロッド１９が一体に設けられており、この押圧ロッド１９が撮影機構１４の構成部品を押圧してシャッタ機構を作動させる。
【００１１】
本体基部１２の中央には露光開口３１が形成されており、この露光開口３１の前面に撮影機構１４が取り付けられる。露光開口３１の両側には、写真フイルムカートリッジ１８のカートリッジ本体２０を収納するためのカートリッジ室２１と、カートリッジ本体２０から引き出された未露光の写真フイルム２２をロール状にしたフイルムロール２２ａを収納するためのフイルムロール室２３とが各々一体に形成されている。
【００１２】
これらカートリッジ室２１とフイルムロール室２３の底面は、各々開口面となっており、写真フイルムカートリッジ１８を装填した後に、後カバー１３に一体に設けられている底蓋２８，２９によってそれぞれ塞がれる。そして、この本体基部１２の背面上部には、逆転防止爪２５が一体に形成されている。
【００１３】
図４は、図３の分解斜視図のストロボ装置のみを示した斜視図である。ストロボ基板３１には、メインコンデンサ３２、抵抗３３、トランジスター３４、発振コイル３５、ストロボ放電管３６及び、トリガーコイル４５などの公知のストロボ回路に必要な部品がハンダ付けにより取り付け、配線されている。また、メインコンデンサ３２に充電された電荷がストロボ発光管を発光させることができるレベルに達したときに点灯する充電完了ランプ３７や、このストロボ装置１５に電力を供給する乾電池３８が取り付けられる電池ホルダー３９などが設けられている。
【００１４】
更に、ストロボ基板３１の端部には、シンクロスイッチ４１が取り付けられている。このシンクロスイッチ４１は、シャッタ羽根の動作に機械的に連動して一方の接片４１ａが押圧されて下方に湾曲し、他方の接片４１ｂに接触して導通することにより、シャッタ動作と同時にストロボ放電管３６を発光させる。
【００１５】
図１は、トリガーコイル、及びトリガー接片を示す外観斜視図であり、図５は、その係合部分の拡大図である。トリガーコイル４５は、コイル部４５ａと、下部端子４５ｂ、及び上面の出力端子４５ｃとからなる。下部端子４５ｂは、ストロボ基板３１の回路パターンに半田付けされる。
【００１６】
出力端子４５ｃには、トリガー接片４６が取り付けられる。トリガー接片４６は、弾性のある金属板で形成されており、一端には、係合穴４６ａが、また他端には接触端４６ｂが各々形成される。トリガー接片４６の係合穴４６ａには、トリガーコイル４５の出力端子４５ｃが貫入する。この係合穴４６ａの一辺には、出力端子４５ｃの貫入方向に屈折した抜け止め板４６ｃが一体に形成されており、弾性力により出力端子４５ｃに圧接されて、出力端子４５ｃとトリガー接片４６とを電気的に接続する。
【００１７】
抜け止め板４６ｃは出力端子４５ｃの貫入方向に屈折しているため、取付け後はトリガー接片４６がトリガーコイル４５から外れてしまうことはなく、トリガー接片４６を半田付けすることなく確実にトリガーコイル４５に取り付けることが可能になる。また、トリガー接片４６の接触端４６ｂは、図６に示すように、ストロボ発光部７を構成する金属性のリフレクタ４７の裏面に接触する。
【００１８】
このようなトリガーコイル４５は、シンクロスイッチ４１がオンになった時に、トリガーコンデンサ（図示せず）からコイル部４５ａの１次側に電流が流れ、２次側の出力端子４５ｃに数ｋＶの高電圧電流が出力される。そして、出力端子４５ｃと接しているトリガー接片４６に高電圧電流が流れることによりストロボ放電管３６内がイオン化して電気抵抗が下がり、メインコンデンサの３２の電荷がストロボ放電管３６内を流れてストロボ光を発する。
【００１９】
以上の構成からなるレンズ付きフイルムユニット用ストロボ装置の作用について説明する。ストロボ装置の製造は、まずストロボ基板２１のパターン画像が印刷され、レジスト後にエッチング液により選択エッチングされて、回路パターンが形成される。そして、ストロボ基板２１上に、抵抗２３、トランジスター２４、コイル２５、シンクロスイッチ２２等の回路部品が載置され、ディップハンダ付けによる一括自動ハンダ付けにより、回路基板上に形成された回路パターンに接続、固定される。
【００２０】
次に、ストロボ発光管３６等を有するストロボ発光部７がストロボ基板２１の上部に取り付けられ、更にメインコンデンサ３２が取り付けられる。そして、トリガーコイル４５の出力端子４５ｃに、トリガー接片４６が取り付けられる。トリガー接片４６の取り付けは、図１（Ａ）に示すように、トリガー接片４６の係合穴４６ａに出力端子４５ｃを貫入させる。
【００２１】
これにより、係合穴４６ａの抜け止め板４６ｃが弾性により出力端子４５ｃに圧接され、出力端子４５ｃとトリガー接片４６とが導通するようになる。同時に接触端４６ｂがリフレクタ４７の背面に接触する。また、抜け止め板４６ｃは出力端子４５ｃの貫入方向に屈折しているため、トリガー接片４６がトリガーコイル４５から外れることもない。
【００２２】
以上のように、トリガー接片４６の弾性によりトリガーコイル４５の出力端子４５ｃとトリガー接片４６とを圧接して取り付けるので、手間の掛かる半田付けが不要になり、組み立て工程の迅速化とコストダウンが達成される。
【００２３】
なお、トリガー接片の抜け止め板の形状は、上述した実施形態以外にも、例えば、図７に示すように、トリガーコイル４５の出力端子４５ｃを４方から囲むように、出力端子４５ｃの貫入方向に曲がった抜け止め板５１ａ〜５１ｄのようなものでもよい。この実施形態の場合、出力端子４５ｃとトリガー接片５２との接触面積が大きくなり、より確実な導通が可能になる。
【００２４】
また、出力端子の先端に抜け止め板の一部が食い込む切れ込みを設ければ、トリガーコイルとトリガー接片との圧接がより確実になる。
【００２５】
【発明の効果】
以上のように、本発明によれば、ガスが封入されたストロボ放電管と、このストロボ放電管に放電を開始させるための高電圧電流を発生するトリガーコイル、及び前記ストロボ放電管に接触し前記トリガーコイルから出力された高電圧電流をこのストロボ放電管に伝えるトリガー接片とを有し、レンズ付きフイルムユニットに取り付けられるレンズ付きフイルムユニット用ストロボ装置において、前記トリガー接片は、弾性を有し、一端は、前記トリガーコイルの２次側出力端子の貫入方向に屈折させて形成した折り曲げ板の弾性により前記出力端子に圧接し、他端は、前記ストロボ放電管に当接し、前記ストロボ放電管から受ける抗力の方向が前記貫入方向とほぼ同一方向であるので、レンズ付きフイルムユニット用ストロボ装置のトリガー接片取り付け工程を簡略化し、組み立て時間を削減することにより、製造コストの低減と、併せてトリガー接片取り付け工程に要する設備面積を削減して、製造施設の有効利用を図ることが可能となる。
【図面の簡単な説明】
【図１】本発明を実施したレンズ付きフイルムユニット用ストロボ装置のトリガーコイルとトリガー接片を示す外観斜視図である。
【図２】本発明を実施したレンズ付きフイルムユニット用ストロボ装置を組み込んだレンズ付きフイルムユニットの外観斜視図である。
【図３】図２の分解斜視図である。
【図４】本発明を実施したレンズ付きフイルムユニット用ストロボ装置の外観斜視図である。
【図５】トリガーコイルとトリガー接片との圧接部分の拡大斜視図である。
【図６】図３を側面から見たときの断面図である。
【図７】本発明の第２の実施形態である。
【符号の説明】
２  レンズ付きフイルムユニット
１５  ストロボ装置
３１  ストロボ基板
３２  シンクロスイッチ
４５  トリガーコイル
４５ｃ  出力端子
４６  トリガー接片
４６ａ  係合穴
４６ｃ  抜け止め板
【図１】
0003773150.tif 000002
【図２】
0003773150.tif 000003
【図３】
0003773150.tif 000004
【図４】
0003773150.tif 000005
【図５】
0003773150.tif 000006
【図６】
0003773150.tif 000007
【図７】
0003773150.tif 000008